【手続補正書】
【提出日】平成18年8月23日(2006.8.23)
【手続補正１】
【補正対象書類名】明細書
【補正対象項目名】特許請求の範囲
【補正方法】変更
【補正の内容】
【特許請求の範囲】
【請求項１】  ６〜３００の範囲の反復単位を有し、式：
【化１】
2002525405.tif 000001
［式中、ｍは、１〜１０の整数であり、
Ｒは、Ｈまたはアルキルまたはアリールまたはアリールアルキルである］を有するエーテル基で終結する少なくとも１つの末端を有するポリエチレングリコールのマクロモノマー。
【請求項２】  構造：
【化２】
2002525405.tif 000002
［式中、
【化３】
2002525405.tif 000003
は、６〜３００の実数であり、
ＸおよびＹは、互いに独立して式：
【化４】
2002525405.tif 000004
［式中、ｍは、１〜１０の整数であり、
Ｒは、Ｈまたはアルキルまたはアリールまたはアリールアルキルである］の基であるか、または
Ｘは−ＯＨであり、Ｙは式：
【化５】
2002525405.tif 000005
［式中、ｍは、１〜１０の整数であり、
Ｒは、Ｈまたはアルキルまたはアリールまたはアリールアルキルである］の基である］
を有するマクロモノマー。
【請求項３】  構造：
【化６】
2002525405.tif 000006
［式中、
Ｒは、Ｈまたはアルキルまたはアリールまたはアリールアルキルであり、
【化７】
2002525405.tif 000007
は、上記で定義のように６〜３００の実数であり、
Ｘ、ＹおよびＺは、互いに独立してＯＨまたは式：
【化８】
2002525405.tif 000008
［式中、ｍは、１〜１０の整数であり、
ａは、上記で定義したとおりであり、
Ｒは、Ｈまたはアルキルまたはアリールまたはアリールアルキルである］の基であり、ただし
Ｘ、ＹおよびＺの少なくとも１つが式：
【化９】
2002525405.tif 000009
［式中、ｍは、０〜１０の整数であり、
ａは、上記で定義したとおりであり、
Ｒは、Ｈまたはアルキルまたはアリールまたはアリールアルキルである］の基である］
を有するマクロモノマー。
【請求項４】  ３−メチルオキセタン−３−イルメチルエーテル基で終結し、式：
【化１０】
2002525405.tif 000010
［式中、
【化１１】
2002525405.tif 000011
＝６〜３００、
Ｒおよびｍは、請求項１で定義したとおりである］
を有する請求項２によるマクロモノマー。
【請求項５】  遊離のヒドロキシ基が、アセチル化されるか、または別の方法で一時的にヒドロキシ保護されている請求項４によるマクロモノマー。
【請求項６】  ６〜３００の反復単位を有するポリエチレングリコールのアルカリ金属誘導体を、式：
【化１２】
2002525405.tif 000012
［式中、Ｚは、Ｃｌ、Ｂｒ、Ｉ、トルエンスルホニルオキシまたはＣＦ3ＳＯ3であり、
ｍは、１〜１０の整数であり、
Ｒは、Ｈまたはアルキルまたはアリールまたはアリールアルキルである］
を有するハロ置換化合物と反応させることからなる請求項１または２のマクロモノマーの製造法。
【請求項７】  式：
【化１３】
2002525405.tif 000013
［式中、Ｒは、Ｈまたはアルキルまたはアリールまたはアリールアルキルであり、
【化１４】
2002525405.tif 000014
は、６〜３００である］
を有するポリエチレングリコールのアルカリ金属誘導体を、式：
【化１５】
2002525405.tif 000015
［式中、Ｚは、Ｃｌ、Ｂｒ、Ｉ、トルエンスルホニルオキシまたはＣＦ3ＳＯ3であり、
ｍは、１〜１０であり、
Ｒは、Ｈまたはアルキルまたはアリールまたはアリールアルキルである］
を有するハロ置換化合物と反応させることからなる請求項３のマクロモノマーの製造法。
【請求項８】  アルカリ金属誘導体が、ナトリウム誘導体である請求項６または７による方法。
【請求項９】  アルカリ金属誘導体が、カリウム誘導体である請求項６または７による方法。
【請求項１０】  請求項２によるマクロモノマーの重合により形成された架橋ポリマー。
【請求項１１】  重合が、カチオン性触媒により開始され、ポリマー構造が構造：
【化１６】
2002525405.tif 000016
［式中、
【化１７】
2002525405.tif 000017
＝６〜３００、
Ｒは、請求項１で定義したとおりである］
で表される、
マクロモノマーが、請求項４で請求するような構造を有する請求項１０による架橋ポリマー。
【請求項１２】  その製造に用いるマクロモノマーが、請求項５の構造を有し、請求項１１のヒドロキシ化構造に類似した、ペル−Ｏ−アセチル化されるか、または別の方法で一時的にヒドロキシ保護されているポリマー構造が得られる請求項１０による架橋ポリマー。
【請求項１３】  請求項３のマクロモノマーの塊重合により形成した架橋ポリマー。
【請求項１４】  シリコン油中液滴の重合により形成された請求項１１または１２によるビーズ状樹脂。
【請求項１５】  熱不活性ガス中での噴霧重合により形成された請求項１１または１２によるビーズ状樹脂。
【請求項１６】  請求項１０により製造されたポリマーの、有機合成用支持体としての使用。
【請求項１７】  請求項１０により製造されたポリマーの、固相酵素反応用支持体としての使用。
【請求項１８】  請求項１０により製造されたポリマーの、ペプチド、ＤＮＡ、ＲＮＡおよびオリゴ糖類合成用支持体としての使用。
【請求項１９】  請求項１０により製造されたポリマーの、ペプチド−、タンパク質−、ＤＮＡ−またはＲＮＡ−連結反応用支持体としての使用。
【請求項２０】  請求項１０により製造されたポリマーの、クロマトグラフィー分離用の使用。
【請求項２１】  請求項１０により製造されたポリマーの、アフィニティー精製用の使用。
【請求項２２】  請求項１０により製造されたポリマーの、タンパク質固定化用の使用。
【請求項２３】  酵素が、支持体と結合した基質または阻害剤と相互作用する請求項１７によるポリマーの使用。
【請求項２４】  使用が、固体支持体に結合した薬物の遊離を含む請求項１０によるポリマーの使用。
【請求項２５】  遊離が、酵素により媒介される請求項２４による薬物の遊離。
【請求項２６】  固相マジックアングルスピニングＮＭＲ分光法用の、請求項１０によるポリマーの使用。
【請求項２７】  コンビナトリアルケミストリー用の請求項１０によるポリマーの使用。
【請求項２８】  シリコン油中懸濁重合により形成する請求項１０によるビーズ状ポリマー。
【請求項２９】  ビーズが、界面活性剤により安定化されている請求項２８によるビーズ状ポリマー。
【請求項３０】  界面活性剤が、アクリロイル化ＰＥＧ−ＯＭｅとアクリロイルプロピルペンタメチルジシロキサンとの混合物のラジカル重合により得られる請求項２９によるビーズ状ポリマー。
【請求項３１】  後の丁度よいときに選択的に開裂でき、樹脂を膨張させる、短い一時架橋剤の添加された請求項１０によるポリマー。
【請求項３２】  短い架橋剤が、構造：
【化１８】
2002525405.tif 000018
［式中、Ｒは、選択的開裂条件に化学的に感受性な、アルキリデン、アリーリデン、シラン、シロキサンチオエーテルまたはエーテル橋架けである］
を有する請求項３１によるポリマー。
【請求項３３】  求電子試薬および求核試薬の反転を伴うが、それでＰＥＧのトシラートまたはトリフラートまたはハライドが製造され、３−メチルオキセタン−３−イルメタノールまたはビニルフェニルプロパノールの金属アルコキシドと反応させる、請求項６または７により製造される請求項１〜５によるマクロモノマー。